(57)【要約】【課題】ベルト外れによる回転ドラムの停止状態を確実に検知できるようにする。【解決手段】駆動モータ３０と減速プーリ４１との間に減速ベルト４５が巻き掛けられ、減速プーリ４１と回転ドラム１６との間にドラムベルト４６が巻き掛けられることで、駆動モータ３０の回転数が減速プーリ４１で減速されて回転ドラム１６に伝達される。ドラムベルト４６又は減速ベルト４５のベルト外れが第１検知機構５０又は第２検知機構６０で検知されると、駆動モータ３０の回転動作が停止される。そして、駆動モータ３０の停止動作に連動して、加熱装置１８の加熱動作及びファン３８の送風動作も停止される。【選択図】図５
2014054387.tif 000002
【特許請求の範囲】
【請求項１】
回転ドラムと、該回転ドラムを回転させる駆動モータと、空気を加熱する加熱装置と、該加熱装置で加熱された温風を該回転ドラム内に送り込むファンとを備えた衣類乾燥機であって、
前記駆動モータの回転数を減速させるとともに、減速させた回転数で前記回転ドラムを回転させるための減速機構と、
前記駆動モータと前記減速機構との間で回転駆動力を伝達させる減速ベルトと、
前記減速機構と前記回転ドラムとの間で回転駆動力を伝達させるドラムベルトと、
前記ドラムベルトが外れたことを検知する第１検知機構と、
前記減速ベルトが外れたことを検知する第２検知機構とを備え、
前記駆動モータは、前記第１又は第２検知機構において前記ドラムベルト又は前記減速ベルトのベルト外れが検知された場合に、その回転動作が停止するように構成され、
前記加熱装置及び前記ファンは、前記駆動モータの停止動作に連動して、加熱動作及び送風動作が停止するように構成されていることを特徴とする衣類乾燥機。
【請求項２】
請求項１において、
前記第１検知機構は、第１アイドラと、該第１アイドラを支持するとともに第１回動軸を中心に回動自在な第１支持アームと、該第１アイドラが前記ドラムベルトを押圧する方向に該第１支持アームを付勢する第１スプリングと、該ドラムベルトが外れたときに該第１スプリングの付勢力によって回動した該第１支持アームに当接することで前記駆動モータへの通電を遮断させる第１スイッチ部とを有する一方、
前記第２検知機構は、第２アイドラと、該第２アイドラを支持するとともに第２回動軸を中心に回動自在な第２支持アームと、該第２アイドラが前記減速ベルトを押圧する方向に該第２支持アームを付勢する第２スプリングと、該減速ベルトが外れたときに該第２スプリングの付勢力によって回動した該第２支持アームに当接することで前記駆動モータへの通電を遮断させる第２スイッチ部とを有していることを特徴とする衣類乾燥機。
【請求項３】
請求項２において、
前記第１及び第２スイッチ部は、１つの検知スイッチを兼用することで構成されていることを特徴とする衣類乾燥機。
【請求項４】
請求項２又は３において、
前記第１アイドラは、前記ドラムベルトにおける緩み側の外周面に当接するように配設され、
前記第２アイドラは、前記減速ベルトにおける緩み側の内周面に当接するように配設されていることを特徴とする衣類乾燥機。
【発明の詳細な説明】
【技術分野】
【０００１】
本発明は、衣類乾燥機に関するものである。
【背景技術】
【０００２】
従来より、回転ドラムと、回転ドラムを回転自在に駆動する駆動モータと、ドラムベルトと、ドラムベルトにテンションを付与するベルトテンション機構とを備えた衣類乾燥機が知られている（例えば、特許文献１参照）。
【０００３】
このベルトテンション機構は、テンションプーリと、テンションプーリを回転自在に支持するテンションスプリングとを備えている。テンションスプリングの近傍には、このスプリングの変位で動作する常閉型スイッチが配設されている。そして、ドラムベルトのベルト外れ又は切断等による異常時には、常閉型スイッチの接点を開いて熱源回路への通電を停止する。これにより、回転ドラムの停止時に温風が衣類に当たらないようにして、衣類の損傷や火災の発生を防止するようにしている。
【先行技術文献】
【特許文献】
【０００４】
【特許文献１】特開昭６０−０４８７９５号公報
【発明の概要】
【発明が解決しようとする課題】
【０００５】
ところで、従来の衣類乾燥機では、駆動モータのモータ軸に取り付けられたプーリに対してドラムベルト及びファンベルトを巻き掛けることで、駆動モータの回転動作に連動して回転ドラムの回転動作とファンの送風動作とを行うようにしている。ここで、回転ドラムの回転数のみを調整したい場合には、駆動モータと回転ドラムとの間に減速機構を設け、減速機構によって減速された回転数で回転ドラムを回転させる構成を採用することが考えられる。
【０００６】
しかしながら、従来の衣類乾燥機に対して減速機構を設けた場合には、ドラムベルトのベルト外れを検知することはできるものの、駆動モータと減速機構との間で回転駆動力を伝達させる減速ベルトのベルト外れを検知することができない。つまり、ドラムベルトは外れていないが減速ベルトが外れている場合には、回転ドラムが正常に回転動作していると判断されてしまうという問題がある。
【０００７】
そして、減速ベルトが外れているために回転ドラムの回転が停止しているにもかかわらず、ファンによって回転ドラム内に温風が送り込まれると、回転ドラム内の衣類の一部分に温風が当たり続けることとなり、衣類の損傷や火災が発生するおそれがある。
【０００８】
本発明は、かかる点に鑑みてなされたものであり、その目的は、ベルト外れによる回転ドラムの停止状態を確実に検知できるようにすることにある。
【課題を解決するための手段】
【０００９】
本発明は、回転ドラムと、該回転ドラムを回転させる駆動モータと、空気を加熱する加熱装置と、該加熱装置で加熱された温風を該回転ドラム内に送り込むファンとを備えた衣類乾燥機を対象とし、次のような解決手段を講じた。
【００１０】
すなわち、第１の発明は、前記駆動モータの回転数を減速させるとともに、減速させた回転数で前記回転ドラムを回転させるための減速機構と、
前記駆動モータと前記減速機構との間で回転駆動力を伝達させる減速ベルトと、
前記減速機構と前記回転ドラムとの間で回転駆動力を伝達させるドラムベルトと、
前記ドラムベルトが外れたことを検知する第１検知機構と、
前記減速ベルトが外れたことを検知する第２検知機構とを備え、
前記駆動モータは、前記第１又は第２検知機構において前記ドラムベルト又は前記減速ベルトのベルト外れが検知された場合に、その回転動作が停止するように構成され、
前記加熱装置及び前記ファンは、前記駆動モータの停止動作に連動して、加熱動作及び送風動作が停止するように構成されていることを特徴とするものである。
【００１１】
第１の発明では、駆動モータと減速機構との間に減速ベルトが巻き掛けられ、減速機構と回転ドラムとの間にドラムベルトが巻き掛けられることで、駆動モータの回転数が減速機構で減速されて回転ドラムに伝達される。ドラムベルト又は減速ベルトのベルト外れが第１又は第２検知機構で検知されると、駆動モータの回転動作が停止される。そして、駆動モータの停止動作に連動して、加熱装置の加熱動作及びファンの送風動作も停止される。
【００１２】
このような構成とすれば、ベルト外れによる回転ドラムの停止状態を確実に検知することができる。具体的に、従来の衣類乾燥機のように、ドラムベルト側にのみベルト外れ検知機構を設けると、ドラムベルトは外れていないが減速ベルトが外れている場合には、回転ドラムが正常に回転動作していると判断されてしまう。そして、回転ドラムが停止しているにもかかわらず、ファンによって回転ドラム内に温風が送り込まれると、回転ドラム内の衣類の一部分に温風が当たり続けることとなり、衣類の損傷や火災が発生するおそれがある。
【００１３】
これに対し、本発明では、ドラムベルト及び減速ベルトのベルト外れを検知する第１及び第２検知機構をそれぞれ設けるようにしたから、ドラムベルト又は減速ベルトの一方のみが外れた場合であっても、回転ドラムが停止していることを確実に検知することができる。
【００１４】
第２の発明は、第１の発明において、
前記第１検知機構は、第１アイドラと、該第１アイドラを支持するとともに第１回動軸を中心に回動自在な第１支持アームと、該第１アイドラが前記ドラムベルトを押圧する方向に該第１支持アームを付勢する第１スプリングと、該ドラムベルトが外れたときに該第１スプリングの付勢力によって回動した該第１支持アームに当接することで前記駆動モータへの通電を遮断させる第１スイッチ部とを有する一方、
前記第２検知機構は、第２アイドラと、該第２アイドラを支持するとともに第２回動軸を中心に回動自在な第２支持アームと、該第２アイドラが前記減速ベルトを押圧する方向に該第２支持アームを付勢する第２スプリングと、該減速ベルトが外れたときに該第２スプリングの付勢力によって回動した該第２支持アームに当接することで前記駆動モータへの通電を遮断させる第２スイッチ部とを有していることを特徴とするものである。
【００１５】
第２の発明では、第１及び第２検知機構は、第１及び第２アイドラと、第１及び第２支持アームと、第１及び第２スプリングと、第１及び第２スイッチ部とを有する。第１及び第２アイドラは、第１及び第２支持アームに支持される。第１及び第２支持アームは、第１及び第２スプリングによって第１及び第２アイドラがドラムベルト及び減速ベルトを押圧する方向に付勢される。ドラムベルト又は減速ベルトが外れると、第１又は第２支持アームが回動して第１又は第２スイッチ部に当接され、駆動モータへの通電が遮断される。
【００１６】
このような構成とすれば、ドラムベルト又は減速ベルトが外れると、第１又は第２支持アームが回動して第１又は第２スイッチ部に当接することで、駆動モータへの通電が停止されるので、駆動モータの停止動作に連動して加熱装置の加熱動作及びファンの送風動作も停止される。これにより、回転ドラムが停止しているにもかかわらず、ファンによって回転ドラム内に温風が送り込まれて回転ドラム内の衣類の一部分に温風が当たり続けることを防止できる。
【００１７】
また、第１及び第２検知機構として、ドラムベルト及び減速ベルトにテンションを付与するための第１及び第２アイドラを利用しているので、テンション機構とベルト外れ機構とを兼用することで部品点数を削減して、コストダウンを図ることができる。
【００１８】
第３の発明は、第２の発明において、
前記第１及び第２スイッチ部は、１つの検知スイッチを兼用することで構成されていることを特徴とするものである。
【００１９】
第３の発明では、１つの検知スイッチによって第１及び第２スイッチ部が構成される。このような構成とすれば、第１及び第２スイッチ部を別々に設ける必要が無く、部品点数を削減してコストダウンを図ることができる。
【００２０】
第４の発明は、第２又は第３の発明において、
前記第１アイドラは、前記ドラムベルトにおける緩み側の外周面に当接するように配設され、
前記第２アイドラは、前記減速ベルトにおける緩み側の内周面に当接するように配設されていることを特徴とするものである。
【００２１】
第４の発明では、ドラムベルトにおける緩み側の外周面に第１アイドラが当接され、減速ベルトにおける緩み側の内周面に第２アイドラが当接される。
【００２２】
このような構成とすれば、ドラムベルト及び減速ベルトに対してテンションを付与する上で有効な位置にそれぞれ第１及び第２アイドラを配設することができる。
【発明の効果】
【００２３】
本発明によれば、ドラムベルト及び減速ベルトのベルト外れを検知する第１及び第２検知機構をそれぞれ設けるようにしたから、ドラムベルト又は減速ベルトの一方のみが外れた場合であっても、回転ドラムが停止していることを確実に検知することができる。
【図面の簡単な説明】
【００２４】
【図１】本発明の実施形態に係る衣類乾燥機の構成を示す側面図である。
【図２】衣類乾燥機の構成を示す背面図である。
【図３】衣類乾燥機の構成を示すブロック図である。
【図４】第１及び第２検知機構の構成を示す斜視図である。
【図５】第１及び第２検知機構の構成を示す正面図である。
【図６】乾燥運転を開始する手順を説明するためのフローチャート図である。
【図７】乾燥運転を停止する手順を説明するためのフローチャート図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
図１は、本発明の実施形態に係る衣類乾燥機の構成を示す側面図、図２は背面図、図３はブロック図である。図１〜図３に示すように、衣類乾燥機１０は、ケーシング１１と、ケーシング１１内に設けられて衣類１２が投入される回転ドラム１６と、回転ドラム１６を回転させる駆動モータ３０と、空気を加熱する加熱装置１８を備えている。
【００２７】
ケーシング１１の前面の操作パネル（図示省略）には、運転スイッチ２１が設けられている。運転スイッチ２１は、電源２０に接続されており、運転スイッチ２１をＯＮ状態にすることで衣類乾燥機１０が起動する。また、ケーシング１１内には、制御基板２５及び表示基板２６が設けられている。制御基板２５には、各種センサからの信号が入力されるとともに、駆動モータ３０や加熱装置１８等が接続されている。制御基板２５は、駆動モータ３０の回転数や加熱装置１８の加熱量を制御する。
【００２８】
回転ドラム１６は、前方が開口した筒状に形成されている。回転ドラム１６の前側には、開閉ドア１３が設けられている。開閉ドア１３を開閉することで、回転ドラム１６内に衣類１２を投入することができる。開閉ドア１３の開閉状態は、ドアスイッチ２２によって検出される。ケーシング１１内における開閉ドア１３の下方には、回転ドラム１６内に連通する空気通路１４が設けられている。
【００２９】
回転ドラム１６の後側には、空気を加熱して温風を生成する加熱装置１８が配設されている。本実施形態では、ヒートポンプ式の加熱装置１８を採用している。なお、電気ヒータによって加熱装置１８を構成しても構わない。
【００３０】
空気通路１４の下流側には、ファン３８が配設されている。ファン３８は、駆動モータ３０によって回転駆動する。ファン３８を回転させて送風動作を行うと、回転ドラム１６内の空気が空気通路１４に吸い込まれ、加熱装置１８で生成した温風が回転ドラム１６内に送り込まれる。これにより、回転ドラム１６内の衣類１２を温風によって乾燥させることができる。ファン３８を通過した温風は、その下流側に設けられた排気通路１５を通ってケーシング１１外部に排気される。
【００３１】
駆動モータ３０は、モータ本体３１と、モータ軸３２とを有する。モータ軸３２は、モータ本体３１を貫通して前後方向の両端側に突出して延びている。モータ軸３２の前端部には、ファン３８が取り付けられている。つまり、ファン３８は、駆動モータ３０の回転動作に連動して回転することで送風動作を行う。モータ軸３２の後端部には、モータプーリ３３が取り付けられている。
【００３２】
駆動モータ３０には、遠心スイッチ３５が設けられている。遠心スイッチ３５は、駆動モータ３０が回転駆動したときの遠心力によって径方向外方に配置された接点が閉じるように動作するものである。遠心スイッチ３５は、加熱装置１８に接続されており、加熱装置１８の加熱動作を開始又は停止させる。つまり、駆動モータ３０が回転駆動しているときには、遠心スイッチ３５の接点が閉じて加熱装置１８の加熱動作が開始される一方、駆動モータ３０が停止しているときには、遠心スイッチ３５の接点が開いて加熱装置１８の加熱動作が停止される。
【００３３】
駆動モータ３０と回転ドラム１６との間には、駆動モータ３０の回転数を減速させる減速機構としての減速プーリ４１が配設されている。減速プーリ４１は、直径の大きなモータ側プーリ部４１ａと、モータ側プーリ部４１ａよりも直径の小さなドラム側プーリ部４１ｂとが同心状に配置されて構成されている。
【００３４】
駆動モータ３０のモータプーリ３３と、減速プーリ４１のモータ側プーリ部４１ａとには、減速ベルト４５が巻き掛けられている。これにより、駆動モータ３０の回転駆動力が減速プーリ４１に伝達される。
【００３５】
一方、減速プーリ４１のドラム側プーリ部４１ｂと、回転ドラム１６の外周面とには、ドラムベルト４６が巻き掛けられている。これにより、減速プーリ４１の回転駆動力が回転ドラム１６に伝達される。つまり、駆動モータ３０の回転数が減速プーリ４１で減速され、減速された回転数で回転ドラム１６が回転するようになっている。
【００３６】
ここで、衣類乾燥機１０の乾燥運転中に、ドラムベルト４６や減速ベルト４５が外れたりベルトが破断してしまうことで、回転ドラム１６に対して回転駆動力が伝達されなくなり、回転ドラム１６の回転が停止することがある。そして、回転ドラム１６が停止しているにもかかわらず、ファン３８及び加熱装置１８を動作させて回転ドラム１６内に温風を送り込むと、衣類１２の一部分に温風が当たり続けてしまい、衣類１２が損傷したり、火災が発生するおそれがある。そこで、本実施形態では、ドラムベルト４６が外れたことを検知する第１検知機構５０と、減速ベルト４５が外れたことを検知する第２検知機構６０とを設けるようにした。
【００３７】
図４は、第１及び第２検知機構の構成を示す斜視図、図５は正面図である。図４及び図５に示すように、第１検知機構５０は、第１アイドラ５１と、第１支持アーム５２と、第１スプリング５３と、第１スイッチ部としての検知スイッチ５５とを有する。
【００３８】
第１アイドラ５１は、第１支持アーム５２の先端部に支持されている。ドラムベルト４６は、図５において反時計回り方向に回転しており、ドラムベルト４６における緩み側の外周面に当接するように第１アイドラ５１を配設している。
【００３９】
第１支持アーム５２は、第１回動軸５４を中心に回動自在に構成されている。第１支持アーム５２の第１取付片５２ａには、第１スプリング５３の一端が取り付けられている。第１スプリング５３の他端は、駆動モータ３０を保持するモータブラケット３４に設けられた第１係合片３４ａに係合されている。第１スプリング５３は、第１アイドラ５１がドラムベルト４６を押圧する方向に第１支持アーム５２を付勢している。また、第１支持アーム５２の基端部には、検知スイッチ５５のスイッチレバー５５ａを押圧する第１スイッチ片５２ｂが設けられている。
【００４０】
検知スイッチ５５は、常閉型のスイッチで構成されている。検知スイッチ５５は、駆動モータ３０に接続されており、スイッチレバー５５ａが図５において実線で示す位置にあるときに、検知スイッチ５５の接点が閉じてＯＮ状態となり、駆動モータ３０に対して通電が行われる。
【００４１】
ここで、ドラムベルト４６が外れたり破断した場合には、第１スプリング５３の付勢力によって第１支持アーム５２が第１回動軸５４を中心に反時計回り方向に回動する（図２の仮想線を参照）。このとき、検知スイッチ５５のスイッチレバー５５ａは、第１支持アーム５２の第１スイッチ片５２ｂに押圧されて図５において仮想線で示す位置に移動する。これにより、検知スイッチ５５の接点が開いて駆動モータ３０への通電が遮断される。
【００４２】
第２検知機構６０は、第２アイドラ６１と、第２支持アーム６２と、第２スプリング６３と、第２スイッチ部としての検知スイッチ５５とを有する。第２検知機構６０の検知スイッチ５５は、第１検知機構５０の検知スイッチ５５と兼用されているので、部品点数を削減してコストダウンを図ることができる。
【００４３】
第２アイドラ６１は、第２支持アーム６２の先端部に支持されている。ここで、減速ベルト４５は、図５において反時計回り方向に回転しており、減速ベルト４５における緩み側の内周面に当接するように第２アイドラ６１を配設している。
【００４４】
第２支持アーム６２は、第２回動軸６４を中心に回動自在に構成されている。第２支持アーム６２の第２取付片６２ａには、第２スプリング６３の一端が取り付けられている。第２スプリング６３の他端は、モータブラケット３４に設けられた第２係合片３４ｂに係合されている。第２スプリング６３は、第２アイドラ６１が減速ベルト４５を押圧する方向に第２支持アーム６２を付勢している。また、第２支持アーム６２の基端部には、検知スイッチ５５のスイッチレバー５５ａを押圧する第２スイッチ片６２ｂが設けられている。
【００４５】
ここで、減速ベルト４５が外れたり破断した場合には、第２スプリング６３の付勢力によって第２支持アーム６２が第２回動軸６４を中心に時計回り方向に回動する（図２の仮想線を参照）。このとき、検知スイッチ５５のスイッチレバー５５ａは、第２支持アーム６２の第２スイッチ片６２ｂによって押圧されて図５において仮想線で示す位置に移動する。これにより、検知スイッチ５５の接点が開いて駆動モータ３０への通電が遮断される。
【００４６】
なお、第２アイドラ６１によって減速ベルト４５に付与するベルト張り荷重は、第１アイドラ５１によってドラムベルト４６に付与するベルト張り荷重の１０％以下に設定するのが好ましい。このようにすれば、減速ベルト４５の動作時に第２アイドラ６１及び第２支持アーム６２が振れ回らないようにするとともに、検知スイッチ５５を確実に作動させることができる。
【００４７】
−乾燥運転の開始手順−
次に、衣類乾燥機１０における乾燥運転を開始する手順について、図６のフローチャート図を用いて説明する。図６に示すように、まず、ステップＳ１０１で、運転スイッチ２１をＯＮし、ステップＳ１０２に進む。
【００４８】
ステップＳ１０２では、ドアスイッチ２２がＯＮ状態であるかを判定する。ステップＳ１０２での判定が「ＹＥＳ」の場合には、開閉ドア１３が閉じられていると判断して、ステップＳ１０３に分岐する。ステップＳ１０２での判定が「ＮＯ」の場合には、ステップＳ１０４に分岐する。
【００４９】
ステップＳ１０３では、ベルト外れを検知する検知スイッチ５５がＯＮ状態であるかを判定する。検知スイッチ５５は、常閉型のスイッチであるので、ステップＳ１０３での判定が「ＹＥＳ」の場合には、ドラムベルト４６及び減速ベルト４５が正常に巻き掛けられた状態であると判断して、ステップＳ１０５に分岐する。ステップＳ１０３での判定が「ＮＯ」の場合には、ステップＳ１０４に分岐する。
【００５０】
ステップＳ１０４では、開閉ドア１３が開いているか、ドラムベルト４６や減速ベルト４５が外れていることによって、乾燥運転を開始できないエラー状態であることを報知して、ステップＳ１０１に戻る。
【００５１】
ステップＳ１０５では、駆動モータ３０の回転駆動を開始し、ステップＳ１０６に進む。ステップＳ１０６では、駆動モータ３０の回転駆動に連動して、ファン３８及び回転ドラム１６の回転動作が開始され、ステップＳ１０７に進む。
【００５２】
ステップＳ１０７では、駆動モータ３０の回転に伴って遠心スイッチ３５がＯＮ状態となり、ステップ１０８に進む。
【００５３】
ステップＳ１０８では、遠心スイッチ３５がＯＮ状態になったことで加熱装置１８の加熱動作が開始され、ステップＳ１０９に進む。
【００５４】
ステップＳ１０９では、加熱装置１８で加熱された温風をファン３８によって回転ドラム１６内に送り込む乾燥運転を開始して、処理を終了する。
【００５５】
−乾燥運転の停止手順−
次に、衣類乾燥機１０における乾燥運転を停止する手順について、図７のフローチャート図を用いて説明する。図７に示すように、まず、ステップＳ２０１で、乾燥運転を継続し、ステップＳ２０２に進む。
【００５６】
ステップＳ２０２では、ベルト外れを検知する検知スイッチ５５がＯＦＦ状態であるかを判定する。検知スイッチ５５は、常閉型のスイッチであるので、ステップＳ２０２での判定が「ＹＥＳ」の場合には、ドラムベルト４６又は減速ベルト４５が外れた状態であると判断して、ステップＳ２０３に分岐する。ステップＳ２０２での判定が「ＮＯ」の場合には、ドラムベルト４６及び減速ベルト４５が正常に巻き掛けられた状態であると判断して、ステップＳ２０１に分岐して乾燥運転を継続する。
【００５７】
ステップＳ２０３では、駆動モータ３０への通電を遮断して駆動モータ３０の回転駆動を停止し、ステップＳ２０４に進む。ステップＳ２０４では、駆動モータ３０の停止動作に連動して、ファン３８及び回転ドラム１６の回転動作が停止され、ステップＳ２０５に進む。
【００５８】
ステップＳ２０５では、駆動モータ３０の回転に伴って遠心スイッチ３５がＯＦＦ状態となり、ステップ２０６に進む。
【００５９】
ステップＳ２０６では、遠心スイッチ３５がＯＦＦ状態になったことで加熱装置１８の加熱動作が停止され、ステップＳ２０７に進む。ステップＳ２０７では、乾燥運転を停止して、処理を終了する。
【００６０】
−本実施形態の効果−
以上のように、本実施形態に係る衣類乾燥機１０によれば、ドラムベルト４６のベルト外れを検知する第１検知機構５０と、減速ベルト４５のベルト外れを検知する第２検知機構６０とをそれぞれ設けることで、ドラムベルト４６又は減速ベルト４５の一方のみが外れた場合であっても、回転ドラム１６が停止していることを確実に検知することができる。
【００６１】
これにより、回転ドラム１６が停止しているにもかかわらず、ファン３８によって回転ドラム１６内に温風が送り込まれてしまい、回転ドラム１６内の衣類１２の一部分に温風が当たり続けて衣類１２の損傷や火災が発生することを防止できる。
【００６２】
《その他の実施形態》
前記実施形態については、以下のような構成としてもよい。
【００６３】
本実施形態では、第１検知機構５０及び第２検知機構６０に対して、１つの検知スイッチ５５を兼用することで、ドラムベルト４６及び減速ベルト４５のベルト外れを検知するようにした形態について説明したが、第１検知機構５０及び第２検知機構６０に対して別々の検知スイッチ５５を設けた構成としてもよい。
【００６４】
また、本実施形態では、第１アイドラ５１をドラムベルト４６における緩み側の外周面に当接するように配設する一方、第２アイドラ６１を減速ベルト４５における緩み側の内周面に当接するように配設した形態について説明したが、特にこの形態に限定するものではない。
【産業上の利用可能性】
【００６５】
以上説明したように、本発明は、ベルト外れによる回転ドラムの停止状態を確実に検知できるという実用性の高い効果が得られることから、きわめて有用で産業上の利用可能性は高い。
【符号の説明】
【００６６】
１０    衣類乾燥機
１６    回転ドラム
１８    加熱装置
３０    駆動モータ
３８    ファン
４１    減速プーリ（減速機構）
４５    減速ベルト
４６    ドラムベルト
５０    第１検知機構
５１    第１アイドラ
５２    第１支持アーム
５３    第１スプリング
５４    第１回動軸
５５    検知スイッチ（第１スイッチ部、第２スイッチ部）
６０    第２検知機構
６１    第２アイドラ
６２    第２支持アーム
６３    第２スプリング
６４    第２回動軸
【図１】
2014054387.tif 000003
【図２】
2014054387.tif 000004
【図３】
2014054387.tif 000005
【図４】
2014054387.tif 000006
【図５】
2014054387.tif 000007
【図６】
2014054387.tif 000008
【図７】
2014054387.tif 000009